(57)【特許請求の範囲】
【請求項１】
基地局と複数の端末局との間で、半２重通信を行う通信装置であって、前記端末局が前記基地局から送信されるデータの変調信号を受信し、さらに、基地局から送信される無変調信号を端末局からの送信データにより変調させてデータ送信するパッシブ通信装置において、
前記複数の端末局にそれぞれアドレスを設定するアドレス設定手段を備え、
前記複数の端末局から前記基地局にデータ送信する場合に、
前記基地局が送信したデータの変調信号を受信完了した時刻を基準として、
前記アドレス設定手段により設定された端末局のアドレスと端末局の最大データ送信時間とにより生成される送信タイミングで、各端末局が送信し、
前記基地局は、
前記端末局に宛ててデータを送信した後、
端末局の最大アドレス設定値と端末局の最大データ送信時間とにより定められる時間、前記無変調信号を送信する
ことを特徴とするパッシブ通信装置。
【請求項２】
前記基地局は、発信する１つの送信データを複数の周波数で変調する手段と、送信する無変調波を前記と同一の複数の周波数で生成する手段を有し、同一周波数からなる送信データと無変調波を組み合わせた高周波信号を複数の異なる周波数で送信することを特徴とする請求項１記載のパッシブ通信装置。
【請求項３】
前記基地局に送信周波数を設定する手段を、端末局側に受信周波数を設定する手段をそれぞれ設け、前記基地局の送信周波数と端末局側の受信周波数とを一致させたことを特徴とする請求項１記載のパッシブ通信装置。
【請求項４】
前記基地局は、送信データを振幅変調して送信する手段と、送信データを位相変調して送信する手段を有し、
当該基地局から他の基地局に送信する場合と、当該基地局から端末局に送信する場合とで、送信の変調方式を切り替えるようにした
ことを特徴とする請求項１ないし請求項３のいずれかに記載のパッシブ通信装置。
【発明の詳細な説明】
【０００１】
【発明の属する技術分野】
本発明は、複数の基地局と複数の端末局との間で半２重データ通信を行うパッシブ通信装置に関するものである。
【０００２】
【従来の技術】
図１４は、従来の例えば特開２０００−１３２７３号公報に開示されたパッシブ通信装置の構成図を示す。
図において、１は基地局１０に接続された付属装置、２は前記付属装置１とデータのやり取りを行うデータ処理部、３は前記データ処理部に接続された無線制御部であり、送信部４に送信データ８を送り、受信部１２から受信データ１３を受け取る。６は前記送信部４にキャリア信号７を供給すると共に、前記受信部１２にキャリア信号１１を供給する発信器部である。前記送信部４及び受信部１２は、それぞれ送信アンテナ５及び受信アンテナ１４に接続される。
【０００３】
１５は前記基地局１０からの高周波信号９を受信する端末局２０の受信アンテナ、
２９は前記受信アンテナ１５に接続されて、受信されたデータを復調する受信部であり、その復調データ１９は無線制御部２８へ入力される。２１は前記無線制御部２８に接続されたデータ処理部であり、無線制御部２８を介して送られてくる前記復調データ１９を付属装置２２に出力すると共に、付属装置２２からの入力データを無線制御部２８を介して送信部３０に送る。前記送信部３０は送信データを変調して送信アンテナ２６を介して高周波信号２７として、前記基地局１０へ向けて送信する。
【０００４】
上記のように構成された従来のパッシブ通信装置の動作について説明する。
基地局１０では、付属装置１からデータ処理部２にデータが入力されると、データ処理部２は無線制御部３にデータを送り、無線制御部３は送信部４を駆動し送信アンテナ５を介して端末局２０に送信データ８を送信する。この際、送信部４は発信器部６からのキャリア信号７を送信データ８で変調した高周波信号９を発生する。
【０００５】
端末局２０は、受信アンテナ１５により基地局１０から送られてきた高周波信号９を受信し、受信部２９へ送る。受信部２９はその信号を復調し、復調データ１９を得る。復調データ１９は無線制御部２８からデータ処理部２１を経由して付属装置２２に出力される。
【０００６】
付属装置２２が送信する場合は、送信データをデータ処理部２１に入力すると、データ処理部２１は無線制御部２８にデータを送る。無線制御部２８は、送信データ２３でアンテナ２６に接続された送信部３０の出力インピーダンスを変化させる。つまり、送信部３０は、送信データ２３により出力インピーダンスが変化するＦＥＴ等のスイッチング素子（図示せず）を有している。
【０００７】
送信アンテナ２６では、前記受信アンテナ１５と同じく、基地局１０から送信された高周波信号９を受信しているため、出力インピーダンスの変化により、送信アンテナ２６と送信部３０間にインピーダンス不整合が起こり、高周波信号９が送信データ２３で変調され、高周波信号２７として基地局１０に送信される。
【０００８】
基地局１０の受信アンテナ１４は、高周波信号２７を受信し、受信部１２へ送る。受信部１２は、高周波信号２７と発信器部６からのキャリア信号１１とを混合し、受信データ１３を復調する。無線制御部３は、受信データ１３をデータ処理部２へ送り、データ処理部２から付属装置１へ受信データが送られて、双方向の通信が行われる。
【０００９】
上記動作のタイムチャートを図１５に示す。
基地局１０の無線制御部３から送信部４に送られる送信データ８が高周波信号９に変調され、端末局２０に送信される。端末局２０はこれを受信データ１９として受信する。基地局１０は、送信データ８を送信し終わったあと、無変調の高周波信号を送出する。高周波信号が出力されている間に、端末局２０は自己の送信データ２３を高周波信号２７に載せて基地局１０に送信する。
【００１０】
【発明が解決しようとする課題】
以上のように構成された従来のパッシブ通信装置では、複数の端末局が存在する場合に、各端末局からの基地局への送信データが衝突しあって、基地局が各端末局からの送信データを受信できないという問題がある。また、基地局に着目すれば、基地局が複数存在する場合に、基地局間で通信を行う手段がない。
【００１１】
また、例えば同一室内に基地局と端末局が存在するような場合、基地局から端末局へ送信する際、部屋の壁面で電波が回折されるため、端末局に種々の方向から電波が到来し、この種々の方向から届く電波の回折の度合いにより、到来時間が異なるため振幅と位相が異なり、周波数選択性フェージングが生じ、場所によって受信できたりできなかったりする不具合が生じる。
【００１２】
また、基地局が複数存在した場合に、端末局は基地局を選択する手段を有しないので、全ての基地局に応答してしまう。すなわち、基地局と端末局のセットが複数存在する場合、基地局から、他のセットの端末局にデータを送信してしまう可能性がある。さらに、複数の基地局が同時にデータを送信した場合には、端末局が受信できないという問題があった。
【００１３】
本発明は、上記のような問題点を解消するためになされたもので、基地局と複数の端末局あるいは基地局と端末局のセットが複数存在する場合のパッシブ通信において、基地局間あるいは基地局から送信したい端末局、または、端末局から送信したい基地局とのデータ通信を可能にし、基地局と端末局間で確実な送受信の行えるパッシブ通信装置を提供することを目的とする。
【００１４】
【課題を解決するための手段】
本発明に係る請求項１記載のパッシブ通信装置は、基地局と複数の端末局との間で、半２重通信を行う通信装置であって、前記端末局が前記基地局から送信されるデータの変調信号を受信し、さらに、基地局から送信される無変調信号を端末局からの送信データにより変調させてデータ送信するパッシブ通信装置において、前記複数の端末局にそれぞれアドレスを設定するアドレス設定手段を備え、前記複数の端末局から前記基地局にデータ送信する場合に、前記基地局が送信したデータの変調信号を受信完了した時刻を基準として、前記アドレス設定手段により設定された端末局のアドレスと端末局の最大データ送信時間とにより生成される送信タイミングで、各端末局が送信し、前記基地局は、前記端末局に宛ててデータを送信した後、端末局の最大アドレス設定値と端末局の最大データ送信時間とにより定められる時間、前記無変調信号を送信するものである。
【００１５】
また、請求項２記載のパッシブ通信装置は、前記基地局が、発信する１つの送信データを複数の周波数で変調する手段と、送信する無変調波を前記と同一の複数の周波数で生成する手段を有し、同一周波数からなる送信データと無変調波を組み合わせた高周波信号を複数の異なる周波数で送信するようにしたものである。
【００１６】
また、請求項３記載のパッシブ通信装置は、基地局に送信周波数を設定する手段を、端末局側に受信周波数を設定する手段をそれぞれ設け、前記基地局の送信周波数と端末局側の受信周波数とを一致させるようにしたものである。
【００１７】
また、請求項４記載のパッシブ通信装置において、前記基地局は、送信データを振幅変調して送信する手段と、送信データを位相変調して送信する手段を有し、当該基地局から他の基地局に送信する場合と、当該基地局から端末局に送信する場合とで、送信の変調方式を切り替えるようにしたものである。
【００１９】
【発明の実施の形態】
実施の形態１．
図１は、この発明の実施の形態１におけるパッシブ通信装置の構成を示した図である。図においては、例として、１台の基地局と２台の端末局からなるシステム構成を示す。尚、図において、従来例と同一又は相当部分には同一符号を付し説明を省略する。
１０は基地局、４０は端末局Ａ、５０は端末局Ｂである。前記端末局Ａ４０及び端末局Ｂ５０は、それぞれアドレス設定部４１を有し、該アドレス設定部４１で端末自局のアドレスを設定する。
基地局１０はデータ処理部２からデータを無線制御部３に渡し、送信部４から送信データで変調した電波を送信アンテナ５を介して端末局A４０、端末局B５０に送信する。図２は、基地局１０から端末局Ａ４０、端末局Ｂ５０に発信する送信データの構造を示す。
この送信データ構造は、例えばヘッダ部、データ設定部、端末局宛データ部から構成され、前記ヘッダ部分には、基地局１０がデータ伝送に必要な各種の情報が記載されており、データ設定部には、後続するデータに端末局A４０宛のデータがあるか、端末局B５０宛のデータがあるかを記載する。後続する端末局宛データは、例えば端末局Ａ４０、端末局Ｂ５０の順に、例えば１バイトの固定長で記載する。そして、前記データ設定部に、例えば端末局Ａ４０宛のデータはなく、端末局Ｂ５０宛のデータがある場合には、端末局Ｂ５０宛のデータのみがデータ設定部に続いて記載され、端末局Ａ４０宛のデータは記載されない。そして、この発信された電波は、端末局A４０と端末局B５０のそれぞれの受信アンテナ１５を介して受信部２９で受信し、該受信データを無線制御部２８に渡す。端末局Ａ４０と端末局Ｂ５０の無線制御部２８は、この電波を同時に受信する。
また、基地局１０は前記送信データの送信完了直後に、端末局側の送信データを得るために無変調信号を送信する。端末局Ａ４０、端末局Ｂ５０は、その無変調信号をそれぞれの送信データ２３により変調させて、送信アンテナ２６よりその変調波の高周波信号２７としてそれぞれ基地局１０に送信する。
【００２０】
次に、無線制御部２８の動作について、図３のフローチャートを基に説明する。各端末局の無線制御部２８は、まず、Sｔeｐ１において受信部２９から受信データを受信する。そして、Sｔeｐ２において受信データのデータ設定部に自局宛のデータが存在するか否か判別し、もし、自局宛のデータが存在しなければ（いいえ）、Sｔeｐ３でデータ処理部２１にデータ無しを通知する。もし、Sｔeｐ２で自局宛のデータが存在すれば（はい）、固定バイト長分の自局宛のデータを受信し、Sｔeｐ４でデータ処理部２１にデータを渡す。各端末局は、上記Sｔeｐ３、４のいずれかの処理を実施後、Sｔeｐ５において端末局が送信を開始するタイミングを設定するタイマをセットする。
【００２１】
ここで、このタイミングを設定するタイマセットについて、図４の基地局１０と端末局Ａ４０、端末局Ｂ５０間の通信シーケンスを用いて説明する。
基地局１０から送信データが送信されると、端末局Ａ４０、端末局Ｂ５０が同時に受信し、基地局１０はデータ送信直後に無変調信号を送信するため、この無変調信号が送信されている間に、端末局Ａ４０、端末局Ｂ５０は、無変調信号を自局の送信データにより変調させて、前記基地局１０からの送信データを受信完了した時点を基準として、以下に述べる各端末局のタイマセット値による送信タイミングで基地局１０へ各々送信開始する。
【００２２】
まず、端末局Ａ４０のアドレスが「１」、端末局Ｂ５０のアドレスが「２」に設定されているものとする。図４に示すように、まず、アドレス「１」の端末局Ａ４０が、前記基地局１０からの送信データを受信完了した時点を基準として、ある所定時間Ｔ１経過後に送信を開始する。この所定時間Ｔ１は、例えば各端末局が受信処理等をする際に発生する各端末局間の時間ずれを補償するための時間である。詳しくは、例えば各端末局が基地局からのデータを受信し、送信開始するまでの、各端末局が保持するタイマの誤差による時間ずれや、あるいは、各端末局が、例えば１ｍｓ毎に基地局から送信されるデータを監視するような処理方式をとった場合に発生する基準時間設定ずれなどで発生する各端末局間の時間ずれを吸収するための時間である。
続いて、アドレス「２」の端末局Ｂ５０が、前記の受信完了した時点を基準として、前記所定時間Ｔ１と、１つの端末局がデータ送信する最大時間Ｔ２と、さらに前記Ｔ１時間を加えた時間のＴ３時間経過後に送信を開始する。尚、前記Ｔ２時間は、固定である。
すなわち、各端末局は、自己アドレスを変数として、Ｔ１＋（Ｔ２＋Ｔ１）＊（自己アドレス−１）の時間でタイマをセットして、前記基地局１０からの送信データを受信完了した時点を基準として、前記タイマセット値の時間経過後に基地局１０へそれぞれデータ送信する。
このようにすることによって、複数の端末局が存在する場合に、異なるアドレスに設定されていれば、基地局へ各端末局からデータ送信するタイミングを正確にずらすことが可能になる。
一方、基地局は、端末局が基地局にデータ送信するために、無変調信号を送信し続けるが、その無変調信号を送信する時間は、Ｔ１＋（Ｔ２＋Ｔ１）＊端末局個数で決定する。
【００２３】
そして、Sｔeｐ６において前記タイマセット値がタイマ＝０になったか否か判断され、タイマ＝０でなければ（いいえ）、タイマ＝０になるまで待ち、もし、タイマ＝０であれば（はい）、Sｔeｐ７で端末局の送信部３０から送信アンテナ２６を介して基地局１０にデータ送信する。
【００２４】
尚、端末局のアドレスの設定は、例えば前記端末局Ａ４０、Ｂ５０のように２台しか存在しない場合は、「１」と「２」に設定することが好ましい。例えば「３」と「５」のように設定すると、前述した端末局の送信タイミングを設定するタイマセット値が大きくなるため、端末局から基地局１０への送信タイミングが遅くなり、基地局１０から無変調信号波が送信される時間内にデータ送信できなくなるので、前述の基地局が無変調信号を送信する時間をＴ１＋（Ｔ２＋Ｔ１）＊最大アドレス設定値にしてもよい。
【００２５】
以上のように、基地局と複数の端末局間のパッシブ通信において、端末局側にアドレス設定手段を設け、前記複数の端末局から前記基地局にデータ送信する場合に、前記基地局が送信したデータの変調信号を受信完了した時点を基準として、前記アドレス設定手段により設定された端末局のアドレスと端末局のデータ送信時間とにより生成される送信タイミングで、基地局へ各端末局がデータ送信するようにしたので、各端末局のデータ送信するタイミングをずらすことができ、基地局への複数の端末局からの送信データが衝突することなく、１つの基地局と複数の端末局間で確実な通信を行うことが可能になる。
【００２６】
実施の形態２．
上記実施の形態１においては、基地局から端末局側に１つのデータ構造をもって１つの周波数で送信する場合を示しているが、例えば電波の壁面からの反射と直接到達する電波により、電波の信号レベルが弱まった場合に通信ができなくなることを防止するために、本実施の形態においては、基地局が発信する１つの送信データを複数の異なる周波数で変調して送信し、また、そのデータの変調波と同一の複数の異なる周波数で無変調波を送信するようにする。
図５は、１つの基地局と４つの端末局からなる基地局と端末局間の複数の異なる周波数での通信を表した図である。
１つの基地局は４つの端末局宛に１つのデータ構造で同時に送信する。各端末局は、前述したように、基地局に対して、タイマのセット値によるそれぞれある時間遅れを持ってデータの送信を開始する。このとき、基地局は端末局にデータを送信したタイミングから、自らの送信データの送信時間と、各端末局が返送してくる時間を計算し、その時間が経過するまで待機する。その時間が経過したら、基地局は、図５に示すように先に送信した周波数（例えば周波数１とする）と異なる周波数（例えば周波数２とする）で、再度各端末局に同じデータを送信する。つまり、図４に示した通信シーケンスを、再度送信する周波数を変えて繰り返し行うようにする。端末局は受信部２９に周波数選択性の機能がない構成になっているため、異なる周波数であっても受信可能である。したがって、もし、端末局が両方の周波数で受信した場合（前記周波数１で受信して、ある一定時間内に周波数２で受信した各端末局）は、再度基地局に周波数１で送信したときと同じデータを送信する。
【００２７】
そして、基地局は、端末局から前記周波数１と周波数２で２回データを受信することになるが、周波数によっては電波の届く状態が変化するため、端末局から基地局へ、あるいは、基地局から端末局へ通信できない場合があっても、どちらかの周波数で通信が可能となるため、データの取りこぼしなどを減らすことができる。また、基地局あるいは端末局が周波数１で受信してから、ある一定時間内に周波数２で同じデータを受信した場合は、その周波数２のデータを破棄することで、基地局、端末局のデータの２重検出を防止する。
【００２８】
以上のように、基地局が発信する１つの送信データ及び無変調波を複数の異なる周波数で送信するようにしたので、基地局から端末局に送信する場合に、例えば電波の壁面からの反射と直接到達する電波により、電波の信号レベルが弱まった場合に通信ができなくなるような場合でも、複数の異なる周波数のうちいずれかの周波数で通信可能にすることができるため、通信不能によるデータの取りこぼしなどを防止することができるものである。
【００２９】
実施の形態３．
パッシブ通信装置を一般家庭内などで使うことを想定すると、電波の特性から隣家まで電波が届いてしまうことが発生しうる。つまり、基地局と端末局のセットを、例えば隣り合う２戸の家庭内で使用した場合、隣家の基地局に自家の端末局が反応してしまう場合が発生しうる。これを防止するため、本実施の形態においては、基地局に送信周波数の設定手段を、端末局側に受信周波数の設定手段をそれぞれ設け、基地局の送信周波数と端末局の受信周波数を一致させて通信を行うようにする。
図６に、端末局の周波数設定部を配置した構成図を示す。
図において、図１のシステム構成図の端末局と同一又は相当部分には同一符号を付し説明を省略する。尚、基地局の送信する周波数設定部の配置図は省略する。図６において、４２は基地局から受信する周波数を設定する周波数設定部である。
例えば、前述した周波数１と周波数２というようなセットを基地局と端末局に複数持たせ、隣家と混信しないように、基地局の送信周波数設定部（図示せず）により送信周波数を設定し、端末局側が受信する周波数を図６に示す周波数設定部４２により設定して、前記基地局の送信周波数と端末局側の受信周波数とを一致させるようにして通信を行うようにすることにより、隣家の基地局に自家の端末局が反応してしまうことを防止するようにする。
【００３０】
以上のように、基地局に端末局に送信する電波の周波数を設定する手段を、端末局側に基地局からの送信電波の受信周波数を設定する手段をそれぞれ設け、前記基地局の送信周波数と端末局側の受信周波数とを一致させて通信を行うようにすることにより、基地局と端末局のセットを、例えば隣り合う２戸の一般家庭に設置した場合に、隣家の基地局に自家の端末局が反応することを防止できる。
【００３１】
実施の形態４．
上記実施の形態１から３においては、１つの基地局と複数の端末局からなるパッシブ通信における実施の形態を示したが、本実施の形態においては、基地局と１つ以上の端末局からなるパッシブ通信システムが複数存在する場合の、基地局間の通信について述べる。
図７は例えば２台の基地局間の通信を示す図である。図７において図１のシステム構成図の基地局と同一又は相当部分には同一符号を付し説明を省略する。尚、基地局１０Ａ、１０Ｂの各々の端末局側は省略する。
図において、１０Ａ、１０Ｂは基地局であり、それぞれアドレス設定部６０を有し、該アドレス設定部６０によりそれぞれ自局のアドレスを設定する。
９´は高周波信号を送信データで変調した信号のみで構成される基地局間の通信信号である。
１つの基地局から他の指定した１つの基地局に送信する場合は、それぞれの基地局アドレスを設定する必要があり、図７に示すようにアドレス設定部６０で例えばディップスイッチなどにより、各基地局１０Ａ、１０Ｂ毎の異なるアドレスを設定することにより、各基地局１０Ａ、１０Ｂのアドレスが決定される。
【００３２】
基地局側で端末局の送信データを受信するためには、図４の通信シーケンスに示したように、基地局が無変調信号波を送出している間に、端末局が無変調信号波をデータで変調して返信するため、端末局側は基地局の無変調信号波の送信と端末局のデータ変調した送信が衝突しないように、端末局側でデータ変調する際に無変調信号波の周波数と異なる周波数に変調する必要がある。したがって、図８に示すように例えば、基地局から端末局へデータ送信及び無変調信号の送信をする場合は２４００ＭＨｚ、端末局から基地局へデータ送信する場合は、２４００．４ＭＨｚで送信する。一方、基地局は、端末局のデータ変調された電波を受信するように構成されているため、基地局から他の基地局に送信する場合は、前記基地局から端末局に送信する２４００ＭＨｚのデータ送信では、基地局は受信することができない。したがって、基地局から他の基地局にデータ送信する場合には、
前記基地局から端末局に送信する周波数２４００ＭＨｚではなく、図９に示すように、端末局から基地局にデータ送信する周波数２４００．４ＭＨｚで送信する必要がある。
【００３３】
次に、端末局側から無変調波の周波数を変更する方法を示す。これは、図１０に示すように、端末局からデータ変調する変調波を４００ＫＨｚの周波数で「データ１」と「データ０」でデータの位相を反転させるものとし、「データ１」、「データ０」の時間を同じ例えば５０μｓとする。これを２４００ＭＨｚの無変調信号波にミキシングして、端末局から基地局にデータを送信する。これにより、前述した２４００．４ＭＨｚの周波数で端末局から基地局に送信することができる。
したがって、基地局から基地局に送信する場合、端末局が基地局にデータ送信するときと同じように、基地局の送信部４において、２４００ＭＨｚの無変調波に、図１０に示すような４００ＫＨｚの周波数で「データ１」と「データ０」でデータの位相を反転させた（位相変調された）データをミキシングして、２４００．４ＭＨｚで送信し、基地局から端末局に送信する場合は、２４００ＭＨｚの無変調波を、図１１に示すように「データ１」が２４００ＭＨｚの変調波が存在する状態を、前記データの位相反転のときと同一の例えば５０μｓ時間連続し、「データ０」が２４００ＭＨｚの変調波が存在しない状態に割り当てられた（振幅変調された）データをミキシングして２４００ＭＨｚで送信する。
これにより、基地局から他の基地局への送信と基地局から端末局への送信の両方を実装することが可能となり、基地局と１つ以上の端末局からなるパッシブ通信システムが複数存在する場合に、基地局間の通信及び基地局と端末局間の通信を容易に行うことができる。
【００３４】
図１２は、基地局間、つまり基地局１０Ａと基地局１０Ｂ間の通信シーケンスを示す。前述したように基地局と端末局との通信においては、基地局は端末局からの送信データを受信するため、端末局に無変調信号波を送信する必要があった。しかしながら、基地局間の通信においては、基地局は他の基地局の無変調信号波を必要としないため、前述の図４で示した通信シーケンスの高周波信号（無変調信号）部分は不要であり、図１２の９´の高周波信号を送信データで変調した信号のみの構成で送信する。
【００３５】
以上のように、基地局から他の基地局への通信と基地局から端末局への通信とで送信の変調方式を切り換えるようにしたので、基地局と１つ以上の端末局からなるパッシブ通信システムが複数存在する場合にも、特別な手段を要せず基地局間の通信及び基地局と端末局間の通信を容易にできるものである。
【００３６】
尚、上記実施の形態における基地局と端末局間あるいは基地局間の通信の周波数については、一例を示すものであり、これに限られるものではない。
【００３７】
実施の形態５．
パッシブ通信装置では、端末局は基地局からの無変調信号波の送信が無いと、データ送信できないため、基地局は端末局のデータを受信するため頻繁に無変調信号波の送信を繰り返す。したがって、基地局と端末局からなるパッシブ通信装置が複数存在する場合、基地局同士の送信により基地局の送信データが衝突したり、基地局の無変調信号波を変調する端末局の送信データが衝突したりすることが頻繁に発生する。これを防止するため、本実施の形態においては、基地局が送信データを発信する前に、空中線上の電波（キャリア）の状態を検出し、そのキャリア検出状態から例えばキャリアが空き状態のときに送信するようにする。
基地局は前述したような複数の周波数で送信する場合に、基地局と端末局間の通信に使用する複数の電波の周波数を検出するため、空中線上の電波を検出する複数の周波数に順次スイッチングして、それぞれの周波数でデータを受信できるかどうかで空中線上のキャリア状態を検出する。
【００３８】
この検出について、図１３にマイクロプロセッサでキャリア状態を検出する場合のフローチャートを示す。
例えば周波数が２種類である場合は、まず、Ｓｔｅｐ１１において周波数を周波数１に設定し、Ｓｔｅｐ１２において、ある一定時間ポートへの割り込みを待つ。もし、割り込みが有ればキャリアが存在することになり、Ｓｔｅｐ１３においてポートのデータをチェックして、そのキャリアが自局へのデータかどうかチェックする。そして、自局へのデータであれば受信処理をする。もし自局へのデータで無ければ、Ｓｔｅｐ１１に戻り周波数１に設定して、再度ポートへの割り込みを一定時間待ち、キャリアの消滅を待つ。
もし、周波数１で割り込みが無ければ、周波数１のキャリアが存在しないということになり、次にＳｔｅｐ１４において周波数を周波数２に設定して、Ｓｔｅｐ１５において、前記周波数１のときと同様に、ある一定時間ポートへの割り込みを待ち、もし、割り込みが有れば周波数２のキャリアが存在することになり、Ｓｔｅｐ１３でポートのデータをチェックして、そのキャリアが自局宛のデータかどうかチェックする。自局へのデータであれば受信処理をする。もし、自局宛のデータで無ければ、Ｓｔｅｐ１１に戻り周波数１のキャリア存在から調べる。例えば空中線上に周波数２のキャリアのみが存在している状態であれば、前記Ｓｔｅｐ１５で周波数２のキャリアがなくなるまで、前記シーケンスの繰り返しとなる。このようにして、周波数１及び周波数２で割り込みが無くなれば、Ｓｔｅｐ１６においてキャリア無しと判定し、基地局からデータを送信する。
【００３９】
以上のように、基地局と端末局間などの空中線上の電波（キャリア）状態を検出するようにしたので、キャリア検出状態から例えばキャリアが空き状態のときに送信することができるため、基地局が複数存在する場合などに、基地局同士の送信データの衝突や、基地局の無変調信号波を変調する端末局の送信データの衝突などを防ぐことができ、基地局から端末局への通信エラー、端末局から基地局への通信エラーを防止することができる。
【００４０】
【発明の効果】
以上のように本発明に係る請求項１のパッシブ通信装置は、基地局と複数の端末局との間で、半２重通信を行うパッシブ通信装置において、前記端末局にアドレス設定手段を設け、前記複数の端末局から前記基地局にデータ送信する場合に、前記基地局が送信したデータの変調信号を受信完了したときを基準として、前記アドレス設定手段により設定された端末局のアドレスと端末局の最大データ送信時間とにより生成される送信タイミングで、基地局へ各端末局がデータ送信し、前記基地局は、前記端末局に宛ててデータを送信した後、端末局の最大アドレス設定値と端末局の最大データ送信時間とにより定められる時間、前記無変調信号を送信するようにしたので、各端末局のデータ送信するタイミングをずらすことができ、基地局への複数の端末局からの送信データが衝突することなく、１つの基地局と複数の端末局間で確実な通信を行うことのできるパッシブ通信装置を得ることができる。
【００４１】
また、請求項２のパッシブ通信装置は、基地局が、発信する１つの送信データを複数の異なる周波数で変調する手段と、送信する無変調信号波を前記と同一の複数の異なる周波数で生成する手段を有し、同一周波数からなる送信データと無変調信号波を組み合わせた高周波信号を複数の異なる周波数で送信するようにしたので、基地局から端末局に送信する場合に、例えば電波の壁面からの反射と直接到達する電波により、電波の信号レベルが弱まった場合に通信ができなくなるような場合でも、複数の周波数のうちいずれかの周波数で通信可能にすることができ、データの取りこぼしなどを防止することができる。
【００４２】
また、請求項３のパッシブ通信装置は、基地局に送信データ及び無変調信号波の電波の送信周波数を設定する手段を、端末局側に基地局からの送信データ及び無変調信号波の電波の受信周波数を設定する手段をそれぞれ設けたので、基地局と端末局とで送受信の周波数を一致させて通信することができるため、隣り合う２戸の一般家庭に基地局と端末局のセットを設置した場合に、隣家の基地局に自家の端末局が反応することを防止できる。
【００４３】
また、請求項４のパッシブ通信装置は、基地局が送信データを振幅変調して送信する手段と、送信データを位相変調して送信する手段を有し、基地局が他の基地局に送信する場合と、端末局に送信する場合とで、送信の変調方式を切り換えるようにしたので、基地局と端末局からなるパッシブ通信装置が複数存在する場合に、特別な手段を要せず基地局間の通信及び基地局と端末局間の通信を容易に行うことができる。
【図面の簡単な説明】
【図１】  この発明の実施の形態１におけるパッシブ通信装置のシステム構成図である。
【図２】  この発明の実施の形態１に係る基地局から端末局へ送信する送信データの構成図である。
【図３】  この発明の実施の形態１に係る端末局から基地局へのデータ送信のフローチャートである。
【図４】  この発明の実施の形態１に係る基地局と端末局間の通信シーケンスを示す図である。
【図５】  この発明の実施の形態２における基地局と端末局間の複数の異なる周波数での通信を表した図である。
【図６】  この発明の実施の形態３における端末局の周波数設定部を配置した構成図である。
【図７】  この発明の実施の形態４における基地局間の通信を示す図である。
【図８】  この発明の実施の形態４に係る基地局と端末局間の通信周波数を示した図である。
【図９】  この発明の実施の形態４に係る基地局から他の基地局への通信周波数を示した図である。
【図１０】  この発明の実施の形態４に係る端末局から基地局へ送信する場合のデータの送信波形を示す図である。
【図１１】  この発明の実施の形態４に係る基地局から端末局へ送信する場合のデータの送信波形を示す図である。
【図１２】  この発明の実施の形態４に係る基地局間の通信シーケンスを示す図である。
【図１３】  この発明の実施の形態５における空中線上の電波（キャリア）状態を検出するフローチャートを示す図である。
【図１４】  従来のパッシブ通信装置の構成図である。
【図１５】  従来のパッシブ通信装置の基地局と端末局間の通信におけるタイミングチャートである。
【符号の説明】
３  無線制御部、  ４  送信部、  １０、１０Ａ、１０Ｂ  基地局、  １２  受信部、  ２８  無線制御部、  ２９  受信部、  ３０  送信部、  ４０  端末局A、  ４１  アドレス設定部、  ４２  周波数設定部、  ５０  端末局B、  ６０  アドレス設定部。
【図１】
0004000506.tif 000002
【図２】
0004000506.tif 000003
【図３】
0004000506.tif 000004
【図４】
0004000506.tif 000005
【図５】
0004000506.tif 000006
【図６】
0004000506.tif 000007
【図７】
0004000506.tif 000008
【図８】
0004000506.tif 000009
【図９】
0004000506.tif 000010
【図１０】
0004000506.tif 000011
【図１１】
0004000506.tif 000012
【図１２】
0004000506.tif 000013
【図１３】
0004000506.tif 000014
【図１４】
0004000506.tif 000015
【図１５】
0004000506.tif 000016